(57)【要約】【課題】電子回路基板と主電路とを隔離して完全に絶縁するので電子回路を保護することができる差込プラグを提供する。【解決手段】差込プラグ１は背面ケース２と中間ケース３と前面ケース４とで内部を２つに区画するようにしてケースを形成し、背面ケース２と中間ケース３の間に主電路２４を収納するとともに、中間ケース３と前面ケース４の間に電子回路基板２５を収納し、主電路２４と電子回路基板２５とを中間ケース３により完全に隔離して絶縁する。【選択図】図１
2007149377.tif 000002
【特許請求の範囲】
【請求項１】
ケースの一側面に栓刃を突設し、内部に電子回路基板を収納して成る差込プラグにおいて、前記栓刃を含む主電路と前記電子回路基板とを隔離するように前記ケースの内部を区画したことを特徴とする差込プラグ。
【発明の詳細な説明】
【技術分野】
【０００１】
本発明は、電子回路基板を収納して成る差込プラグに関する。
【背景技術】
【０００２】
一般に一側面に栓刃を突設したケースの内部に電子回路基板を収納して成る差込プラグは、ケースが背面ケースと前面ケースの２つで構成され、電子回路基板は栓刃に接続された主電路と同じ空間に収納されていた（例えば、特許文献１、特許文献２参照。）。
【０００３】
【特許文献１】特開平１１−１３５１９９号公報
【特許文献２】特許第３２５０６４０号公報
【発明の開示】
【発明が解決しようとする課題】
【０００４】
そのため、従来の差込プラグは電子回路基板と主電路が接触することにより電子回路が故障する虞があった。
【課題を解決するための手段】
【０００５】
本発明によれば、ケースの一側面に栓刃を突設し、内部に電子回路基板を収納して成る差込プラグにおいて、栓刃を含む主電路と電子回路基板とを隔離するようにケースの内部を区画したことを特徴とする。
【発明の効果】
【０００６】
本発明によれば、電子回路基板と主電路とを隔離して完全に絶縁するので電子回路を保護することができるという効果がある。
【発明を実施するための最良の形態】
【０００７】
差込プラグは背面ケースと中間ケースと前面ケースとで内部を２つに区画するようにしてケースを形成し、背面ケースと中間ケースの間に主電路を収納するとともに、中間ケースと前面ケースの間に電子回路基板を収納し、主電路と電子回路基板とを中間ケースにより完全に隔離して絶縁する。
【実施例１】
【０００８】
本発明に係る差込プラグの実施例１を図１〜図４の添付図面に基づいて説明する。
【０００９】
差込プラグ１は背面ケース２と中間ケース３と前面ケース４とで内部を２つに区画するようにしてケースを構成している。背面ケース２は内部から背面に貫通する３つの取付孔７が互いに離間して形成され、この取付孔に内側から２本の平型の栓刃８と、接地極を成す１本の略Ｕ字状の栓刃９を嵌挿して背面に突設している。また、栓刃８，８間に形成されたセンサ取付穴１０に栓刃８，８間に発生するトラッキングを検出するためのセンサ１１が組み付けられ、センサ取付穴１０は極小の検出孔１２によって外部に連通している。センサ１１はこの検出孔１２を介してトラッキングを検出するようになっている。
【００１０】
また、背面ケース２と中間ケース３が接合する側面に半円部が夫々切り欠き形成され、接合時に円形となって電源コード１６が挿通する挿通口１８が設けられている。背面ケース２の挿通口１８の内側に電源コード１６が配置されるコード受け部１９が形成されている。
【００１１】
コード受け部１９と対向して配置される横長の押さえ板２０は中央部が円弧状に形成され、両端部に固定ねじ２１が挿通するためのねじ挿通孔２２が形成されている。そして、押さえ板２０のねじ挿通孔２２と対向するコード受け部１９の両側には固定ねじ２１が螺合するねじ穴２３が形成されている。
【００１２】
電源コード１６は、背面ケース２のコード受け部１９に電源コード１６を当接させ、それから押さえ板２０で電源コード１６を押さえて両側のねじ挿通孔２２に固定ねじ２１を挿通させてねじ穴２３に螺着することにより電源コード１６を押さえ板２０とコード受け部１９で挟持して固定される。そして、電源コード１６内の各電線１７が対応する栓刃８，９に電気的に接続されて主電路２４を構成している。
【００１３】
また、中間ケース３と前面ケース４の間に電子回路基板２５が収納される。中間ケース３には電線挿通孔２６が形成され、電子回路基板２５に電源を供給するために栓刃８に接続された電線２７や、電子回路基板２５にトラッキング検出信号を伝送するためにセンサ１１に接続された電線２８が挿通するようになっている。ケースは前面ケース４と中間ケース３に順にネジ２９を挿通させて背面ケース２に螺着することにより固定される。
【００１４】
このように、背面ケース２と中間ケース３の間に主電路２４を収納し、主電路２４と隔離するように中間ケース３と前面ケース４の間に電子回路基板２５を収納したので、主電路２４と電子回路基板２５が絶縁され、主電路２４と電子回路基板２５が接触することによる電子回路の故障を防止することができる。こうして、形成された差込プラグ１は栓刃８，８間にトラッキングが発生すると検出孔１２を介してセンサ１１が検知し、電子回路の判定によりトラッキングであると判定されるとブザーなどにより報知するようになっている。
【００１５】
尚、本実施例ではトラッキングを検出するようになっているが、電子回路基板を収納するものであれば機能について限定はない。また、本実施例では３極型の差込プラグについて説明したが、２極型の差込プラグに適用することも可能である。また、本実施例ではケースを背面ケースと、中間ケースと、前面ケースの３つで形成しているが、例えば、図５に示すように、ケースを背面ケース２と前面ケース４の２つで形成し、内部に隔離部材３０を設けて主電路２４と電子回路基板２５とを隔離する構造であっても良く、その他の形状及び構造についても本発明の趣旨を逸脱しない範囲において適宜に変更して実施することも可能である。
【実施例２】
【００１６】
本発明に係る差込プラグの実施例２を図６及び図７の添付図面に基づいて説明する。
【００１７】
差込プラグ４１は背面ケース４２と中間ケース４３と前面ケース４４とで内部を２つに区画するようにしてケースを構成している。背面ケース４２と中間ケース４３が接合する一側面の略中央には回動部材４５が設けられ、回動部材４５に２本の平型の栓刃４８，４８が突設されている。栓刃４８は回動部材４５により使用状況に応じて９０度の範囲で回動自在にされている。また、栓刃４８，４８間にトラッキングを検出するためのセンサ５１が埋め込まれ、センサ５１は外部に連通した極小の検出孔５２を介してトラッキングを検出するようになっている。
【００１８】
また、背面ケース４２と中間ケース４３が接合する他の側面には差込孔５３，５３が形成され、差込孔５３，５３間にはセンサ（図示せず)が埋め込まれて、センサは外部に連通した極小の検出孔５４を介してトラッキングを検出するようになっている。差込孔５３，５３の内側には受刃が配置され、受刃５５は栓刃４８と電気的に接続されて主電路６４を構成している。
【００１９】
中間ケース４３と前面ケース４４の間には電子回路基板６５が収納されている。中間ケース４３には電線挿通孔６６が形成され、電子回路基板５５に電源を供給するために主電路６４に接続された電線（図示せず)や、電子回路基板６５にトラッキング検出信号を伝送するためにセンサ５１に接続された電線６８が挿通するようになっている。ケースは前面ケース４４と中間ケース４３に順にネジ６９を挿通させて背面ケース４２に螺着することにより固定される。
【００２０】
このように、背面ケース４２と中間ケース４３の間に主電路６４を収納し、主電路６４と隔離するように中間ケース４３と前面ケース４４の間に電子回路基板６５を収納したので、主電路６４と電子回路基板６５が絶縁され、主電路６４と電子回路基板６５が接触することによる電子回路の故障を防止することができる。こうして、形成された差込プラグ４１は栓刃４８，４８間又は差込孔５３，５３間にトラッキングが発生すると検出孔５２，５４を介してセンサが検知し、電子回路の判定によりトラッキングであると判定されるとブザーなどにより報知するようになっている。
【００２１】
尚、本実施例ではトラッキングを検出するようになっているが、電子回路基板を収納するものであれば機能について限定はない。また、本実施例では栓刃が回動するようになっているが回動しなくてもよいし、受刃の数について限定はない。また、本実施例ではケースを背面ケースと、中間ケースと、前面ケースの３つで形成しているが、例えば、図８に示すように、ケースを背面ケース４２と前面ケース４４の２つで形成し、内部に隔離部材７０を設けて主電路６４と電子回路基板６５とを隔離する構造であっても良く、その他の形状及び構造についても本発明の趣旨を逸脱しない範囲において適宜に変更して実施することも可能である。
【図面の簡単な説明】
【００２２】
【図１】本発明の実施例１に係る差込プラグを示す分解斜視図である。
【図２】本発明の実施例１に係る差込プラグを示し、（ａ）は右側面図、（ｂ）は背面図である。
【図３】図２のＡ−Ａ線断面図である。
【図４】本発明の実施例１に係る差込プラグに電源コードを固定した状態を示す背面ケースの正面図である。
【図５】本発明の実施例１に係る差込プラグの変形実施例を示す断面図である。
【図６】本発明の実施例２に係る差込プラグを示し、（ａ）は正面図、（ｂ）は底面図、（ｃ）は右側面図である。
【図７】図６のＢ−Ｂ線断面図である。
【図８】本発明の実施例２に係る差込プラグの変形実施例を示す断面図である。
【符号の説明】
【００２３】
１    差込プラグ
２    背面ケース
３    中間ケース
４    前面ケース
８    栓刃
２４    主電路
２５    電子回路基板
２６    電線挿通孔
【図１】
2007149377.tif 000003
【図２】
2007149377.tif 000004
【図３】
2007149377.tif 000005
【図４】
2007149377.tif 000006
【図５】
2007149377.tif 000007
【図６】
2007149377.tif 000008
【図７】
2007149377.tif 000009
【図８】
2007149377.tif 000010